Podtech/llm-jp-corpus-v4-ja_patent huggingface dataset:
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
患者の頭蓋内伸展性を決定するためのシステムであって、
拡張可能な区画を有する容積アダプタと、
前記患者の頭蓋内圧を測定するための少なくとも1つのセンサと、
前記容積アダプタを動作させるように連通するコントローラであって、
前記患者の心周期の測定値を受信し、
前記患者の前記心周期の選択された部分を識別し、
前記心周期の前記部分と同期して容積だけ変化するように前記容積アダプタに命令し、
前記少なくとも1つのセンサから頭蓋内圧測定値を受信し、頭蓋内圧に対する容積の前記変化の効果を識別し、
前記効果から、前記患者の前記頭蓋内伸展性を示す容積圧関係を生成する、ように構成されたコントローラと、
を備える、システム。
【請求項２】
前記容積アダプタは、脳室内に導入されるような大きさおよび形状である、請求項１に記載のシステム。
【請求項３】
前記患者の前記心周期の前記部分は、前記心周期の拡張相である、請求項１に記載のシステム。
【請求項４】
前記患者の前記心周期の前記部分が、前記心周期の収縮相である、請求項１に記載のシステム。
【請求項５】
前記患者の前記心周期の前記部分が、前記心周期の収縮相の最大値である、請求項１に記載のシステム。
【請求項６】
前記コントローラは、
前記患者の追加の心周期の測定値を受信し、
前記患者の前記追加の心周期の選択された部分を識別し、
前記患者の前記追加の心周期の前記選択された部分と同期して、前記容積アダプタにさらなる容積だけ変化するように命令し、
前記少なくとも1つのセンサから頭蓋内圧測定値を受信し、頭蓋内圧に対する前記さらなる容積の効果を識別し、
前記容積の前記変化の前記効果から、および前記さらなる容積の前記効果から、前記患者の前記頭蓋内伸展性を示す容積圧関係を生成する、ように構成される、請求項１から５のいずれか一項に記載のシステム。
【請求項７】
前記コントローラは、
前記患者の前記心周期の収縮相を識別し、
前記患者の前記心周期の前記収縮相に同期して、前記容積アダプタにさらなる容積だけ変化するように命令し、
前記少なくとも1つのセンサから頭蓋内圧測定値を受信し、頭蓋内圧に対する前記さらなる容積の効果を識別し、
容積の前記変化の前記効果から、および前記さらなる容積の前記効果から、前記患者の前記頭蓋内伸展性を示す容積圧特性を生成する、ように構成される、請求項３に記載のシステム。
【請求項８】
前記心周期の前記測定値は、前記少なくとも1つのセンサからの頭蓋内圧測定値を含む、請求項１から７のいずれか一項に記載のシステム。
【請求項９】
心臓測定センサを備え、前記心周期の前記測定値は、前記心臓測定センサから受信された心電図測定値を含む、請求項１から８のいずれか一項に記載のシステム。
【請求項１０】
前記コントローラは、前記患者に対する前記頭蓋内伸展性を使用して決定される、容積変化のシーケンスに従って、容積の前記容積アダプタの変化を指示するように構成される、請求項１から９のいずれか一項に記載のシステム。
【請求項１１】
前記容積は、０．０１ｃｃと２ｃｃとの間である、請求項１から１０のいずれか一項に記載のシステム。
【請求項１２】
前記容積は、０．０５ｃｃと０．５ｃｃとの間である、請求項１から１１のいずれか一項に記載のシステム。
【請求項１３】
前記容積は、約０．５ｃｃである、請求項１から１２のいずれか一項に記載のシステム。
【請求項１４】
前記容積の変化は、１０〜１００ｍｓに亘って実施される、請求項１から１３のいずれか一項に記載のシステム。
【請求項１５】
患者の頭蓋内伸展性を決定するためのシステムの動作方法であって、
脳室内に導入されるような大きさおよび形状の拡張可能な区画を有する容積アダプタと、
前記患者の頭蓋内圧を測定するための少なくとも1つのセンサと、
前記容積アダプタの制御のための制御信号を送信するように構成されたプロセッサと、
を備えるシステムを提供することを含み、
前記動作方法は、
前記患者の心周期の測定値を受信することと、
前記患者の前記心周期の選択された部分を識別することと、
前記心周期の前記部分と同期して、前記容積アダプタの容積を容積だけ変化させることと、
前記少なくとも1つのセンサから頭蓋内圧測定値を受信し、頭蓋内圧に対する前記容積の効果を識別することと、
前記効果から、前記患者の頭蓋内伸展性を示す容積圧関係を生成することと、
を含む、動作方法。
【請求項１６】
前記患者の前記心周期の前記部分は、前記心周期の拡張相である、請求項１５に記載の動作方法。
【請求項１７】
前記変化させることと、前記頭蓋内圧測定値を受信することと、前記患者の異なる心周期で前記生成することと、を繰り返すことを含む、請求項１５または１６に記載の動作方法。
【請求項１８】
前記心周期の前記測定値は、前記少なくとも1つのセンサからの頭蓋内圧測定値を含む、請求項１５から１７のいずれか一項に記載の動作方法。
【請求項１９】
前記心周期の前記測定値は、前記少なくとも1つのセンサからの心電図測定値を含む、請求項１５から１８のいずれか一項に記載の動作方法。
【請求項２０】
患者の脳における脳潅流に影響を与えるためのシステムであって、
患者の頭蓋骨内に導入されるような大きさおよび形状の拡張可能な区画を有する容積アダプタであって、頭蓋内圧を減少させる大きさの縮小状態と頭蓋内圧を増加させる大きさの拡張状態との間で切り換えることによって動作可能な容積アダプタと、
前記患者の生理学的出力を測定するための少なくとも1つのセンサと、
前記容積アダプタを動作させるように連通し、前記生理学的出力に基づいて、脳血液流入および脳拡張期の少なくとも一方のタイミングを予測し、前記脳血液流入の前記タイミングと同期して、前記容積アダプタを前記縮小状態に切り換えるための命令を有する、プロセッサであって、心周期の継続時間の５０％未満の期間、前記容積アダプタを前記拡張状態に維持するように構成される、プロセッサと、
と備える、システム。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
合成視野を有するＸ線画像を取得するための装置であって、前記装置は処理ユニットを含み、前記処理ユニットは、
調整可能な視野が初期視野状態に設定されたＸ線撮像装置を使用して対象者の関心領域の一部の第１のＸ線画像データを取得し、前記第１のＸ線画像データは、前記初期視野状態の前記Ｘ線撮像装置から取得され、前記第１のＸ線画像データを解剖学的モデルと比較し、前記第１のＸ線画像データと前記解剖学的モデルとの比較に基づいて第１のＸ線画像データに隣接する境界誤り領域を規定し、前記関心領域における前記境界誤り領域の位置に基づいて更新視野状態を生成し、前記更新視野状態を前記Ｘ線撮像装置に送信し、前記更新視野状態に設定された場合に前記Ｘ線撮像装置を使用して対象者の前記関心領域の第２のＸ線画像データを取得し、前記第１のＸ線画像データ及び前記第２のＸ線画像データを結合して合成視野を有する前記関心領域の出力画像を取得する、装置において、
前記解剖学的モデルは複数の解剖学的要素を表す確率的解剖学アトラスを含み、前記処理ユニットは、第１のＸ線画像の一部を前記確率的解剖学アトラス内の解剖学的要素と比較することを特徴とする、装置。
【請求項２】
前記処理ユニットは、前記解剖学的モデル及び／又は前記確率的解剖学アトラスにおいて、前記第１のＸ線画像データから欠落している想定要素又は想定要素の一部を識別し、前記処理ユニットは、前記関心領域の一部からの前記解剖学的モデル及び／又は前記確率的解剖学アトラスの外挿に基づいて、前記第１のＸ線画像データにおける前記境界誤り領域を規定する、請求項１に記載の装置。
【請求項３】
前記処理ユニットが、前記境界誤り領域の特性に基づいて前記第１のＸ線画像データの画像完成指標を更に生成し、前記第２のＸ線画像データは、前記画像完成指標が画像完成条件を上回った場合に前記処理ユニットによって取得される、請求項１又は２に記載の装置。
【請求項４】
前記処理ユニットが、画像縫合アルゴリズムを使用して前記第１のＸ線画像データ及び前記第２のＸ線画像データを結合する、請求項１から３の何れか一項に記載の装置。
【請求項５】
前記処理ユニットが、前記関心領域において前記第１のＸ線画像データに隣接する前記第２のＸ線画像データを提供するように前記更新視野状態を選択する、請求項１から４の何れか一項に記載の装置。
【請求項６】
前記処理ユニットが、前記関心領域の少なくとも一部にわたって前記第１のＸ線画像データと重なる前記第２のＸ線画像データを提供するように、前記更新視野状態を選択する、請求項１から４の何れか一項に記載の装置。
【請求項７】
前記処理ユニットが、前記解剖学的モデル及び／又は確率的解剖学アトラスを使用して前記第１のＸ線画像データ内の画像結合領域を識別し、前記画像結合領域にさらに基づいて前記更新視野状態を生成し、前記第１のＸ線画像データ及び前記第２のＸ線画像データは前記画像結合領域に沿って結合される、請求項６に記載の装置。
【請求項８】
前記処理ユニットが、前記初期視野状態及び／又は前記更新視野状態に基づいて人工的な結合領域マーカを前記出力画像に付加し、前記結合領域マーカは、前記出力画像において歪みの可能性のある領域をユーザに示すものである、請求項１から７の何れか一項に記載の装置。
【請求項９】
前記処理ユニットが、入力デバイスから再照射コマンドを受け取り、前記処理ユニットは、前記再照射コマンドが前記入力デバイスから受け取られるまで、前記第２のＸ線画像データを取得しない、請求項１から８の何れか一項に記載の装置。
【請求項１０】
前記Ｘ線撮像装置は調整可能なコリメータを備え、前記初期視野状態は第１の調整可能なコリメータ設定を含み、
前記処理ユニットは、前記処理ユニットを使用して第２の調整可能なコリメータ位置設定を生成することによって、前記更新視野状態を生成し、前記処理ユニットは、前記第２の調整可能なコリメータ位置設定を前記Ｘ線撮像装置の前記調整可能なコリメータに送信することによって、前記Ｘ線撮像装置の視野を調整する、請求項１から９の何れか一項に記載の装置。
【請求項１１】
目標位置に向けて調整可能な視野を有するＸ線源と、
合成視野を有するＸ線画像を取得するための請求項１から１０の何れか一項に記載の装置と、
前記Ｘ線源から放出されたＸ線を受けるために前記目標位置の背後に配置されるＸ線検出器とを備えるＸ線撮像システムであって、
前記Ｘ線撮像システムは、第１のＸ線画像データを前記装置に提供し、前記装置は前記目標位置の視野を調整可能にするために前記更新視野状態を前記Ｘ線源に提供し、前記Ｘ線撮像システムは、Ｘ線画像を生成するための前記装置に第２のＸ線画像情報を提供し、前記装置は前記合成視野を有する関心領域の出力画像を提供する、Ｘ線撮像システム。
【請求項１２】
合成視野を有するＸ線画像を取得するための方法であって、前記方法は、
ａ）調整可能な視野が初期視野状態に設定されたＸ線撮像装置を使用して対象者の関心領域の一部の第１のＸ線画像データを取得するステップであって、前記第１のＸ線画像データは、前記初期視野状態に設定された前記Ｘ線撮像装置を使用して取得される、取得するステップと、
ｂ）前記Ｘ線画像データを解剖学的モデルと比較するステップと、
ｃ）前記第１のＸ線画像データと前記解剖学的モデルとの比較に基づいて前記第１のＸ線画像データに隣接する境界誤り領域を規定するステップと、
ｄ）前記関心領域における前記境界誤り領域の位置に基づいて更新視野状態を生成するステップと、
ｅ）前記更新視野状態を前記Ｘ線撮像装置に送信するステップと、
ｆ）送信された前記更新視野状態に設定された場合に前記Ｘ線撮像装置を使用して対象者の前記関心領域の第２のＸ線画像データを取得するステップと、
ｇ）前記第１のＸ線画像データ及び前記第２のＸ線画像データを結合して合成視野を有する前記関心領域の出力画像を取得するステップと
を有する、方法において、
前記解剖学的モデルは複数の解剖学的要素を表す確率的解剖学アトラスを含み、処理ユニットが更に、第１のＸ線画像の一部を前記確率的解剖学アトラス内の解剖学的要素と比較することを特徴とする、方法。
【請求項１３】
請求項１から１０の何れか一項に記載の装置及び／又は請求項１１に記載のＸ線撮像システムを制御するためのコンピュータプログラムであって、プロセッサ及び／又はシステムによって実行された場合に、請求項１２に記載の方法を実行する、コンピュータプログラム。
【請求項１４】
請求項１３に記載のコンピュータプログラムが記憶された、コンピュータ可読媒体。
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
熱交換器と、
コールドシンク及び前記熱交換器を接続する第１の流れループと、
ホットシンクと前記熱交換器とを接続する第２の流れループと、
前記第１の流れループに配置され、前記第１の流れループにおける許容流れ方向の流れを許容し、前記第１の流れループにおける反対の阻止流れ方向の流れを阻止するように方向付けられた第１の受動一方向バルブと、
前記第２の流れループに配置され、前記第２の流れループにおける許容流れ方向の流れを許容し、前記第２の流れループにおける反対の阻止流れ方向の流れを阻止するように方向付けられた第２の受動一方向バルブと
を含む冷却デバイスであって、
前記第１の流れループにおける前記許容流れ方向の流れと前記第２の流れループにおける前記許容流れ方向の流れとの組合せにより、前記熱交換器内に向流を生成する、冷却デバイス。
【請求項２】
前記第１の受動一方向バルブが第１のテスラバルブを含み、前記第２の受動一方向バルブが第２のテスラバルブを含む、請求項１に記載の冷却デバイス。
【請求項３】
前記第１のテスラバルブ及び前記第２のテスラバルブが、各々、
ミル加工されたテスラバルブ導管パターンを有する第１のステンレス鋼ブロックと、
ミル加工されたテスラバルブ導管パターンを有する第２のステンレス鋼ブロックと
を含み、
前記第１及び第２のステンレス鋼ブロックが一緒にハーメチックシールされ、前記第１及び第２のステンレス鋼ブロックの前記テスラバルブ導管パターンが、ハーメチックシールされた前記第１及び第２のステンレス鋼ブロックを通過するテスラバルブ導管を画定する、請求項２に記載の冷却デバイス。
【請求項４】
各テスラバルブの前記第１及び第２のステンレス鋼ブロックが、ろう付け接合部によって一緒にハーメチックシールされる、請求項３に記載の冷却デバイス。
【請求項５】
前記第１の流れループに配置されたヘリウム流体と、
前記第２の流れループに配置されたヘリウムガスと
を更に含む、請求項１から４のいずれか一項に記載の冷却デバイス。
【請求項６】
前記第２の流れループの流れを駆動するのに、機械式ポンプが接続されない、請求項１から５のいずれか一項に記載の冷却デバイス。
【請求項７】
前記ホットシンクに含まれる超伝導磁石巻線と、
前記コールドシンクに含まれる極低温コールドヘッドと
を更に含む、請求項１から６のいずれか一項に記載の冷却デバイス。
【請求項８】
前記コールドシンクに含まれる気液相分離器を更に含む、請求項７に記載の冷却デバイス。
【請求項９】
１つ又は複数の超伝導磁石巻線を含む磁石と、
極低温コールドヘッドと、
請求項１から７のいずれか一項に記載の冷却デバイスであって、前記冷却デバイスの前記ホットシンクが、前記１つ又は複数の超伝導磁石巻線を含み、前記冷却デバイスの前記コールドシンクが、前記極低温コールドヘッド及び液体ヘリウムタンクを含む、前記冷却デバイスと
を含む、磁気共鳴イメージングデバイス。
【請求項１０】
コールドシンクと熱交換器とを接続する第１の流れループを通して第１の冷却剤流体を流すステップと、
ホットシンクと前記熱交換器とを接続する第２の流れループを通して第２の冷却剤流体を流すステップと、
前記第１の流れループに前記第１の冷却剤流体を流す前記ステップを許容方向では許容し、一方、反対の阻止方向では流れを阻止するために第１の受動一方向バルブを使用し、前記第２の流れループに前記第２の冷却剤流体を流す前記ステップを許容方向では許容し、一方、反対の阻止方向では流れを阻止するために第２の受動一方向バルブを使用することによって、前記熱交換器内に向流を生成するために、前記第１の冷却剤流体を流す前記ステップと前記第２の冷却剤流体を流す前記ステップとを抑制するステップと
を有する、冷却方法。
【請求項１１】
前記第１の受動一方向バルブが第１のテスラバルブを含み、前記第２の受動一方向バルブが第２のテスラバルブを含む、請求項１０に記載の冷却方法。
【請求項１２】
第１のステンレス鋼ブロックにテスラバルブ導管パターンをミル加工し、
第２のステンレス鋼ブロックにテスラバルブ導管パターンをミル加工し、
前記第１及び第２のステンレス鋼ブロックを一緒にハーメチックシールし、前記第１及び第２のステンレス鋼ブロックの前記テスラバルブ導管パターンが、ハーメチックシールされた前記第１及び第２のステンレス鋼ブロックを通過するテスラバルブ導管を画定することによって、
前記第１のテスラバルブ及び前記第２のテスラバルブの各々を構築するステップを更に有する、請求項１１に記載の冷却方法。
【請求項１３】
前記ハーメチックシールするステップが、前記第１及び第２のステンレス鋼ブロックを一緒にろう付けするステップを有する、請求項１２に記載の冷却方法。
【請求項１４】
前記第１の冷却剤流体がヘリウム流体であり、前記第２の冷却剤流体がヘリウムガスである、請求項１０から１３のいずれか一項に記載の冷却方法。
【請求項１５】
前記第１の流れループを流れる液体ヘリウム相の前記ヘリウム流体を、前記第１の流れループに接続されたヘリウムタンクに集めるステップを更に有する、請求項１４に記載の冷却方法。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
磁気共鳴環境で使用する医療デバイスであって、
キーを持つキーパッドと、
それぞれのキーを点灯するため、前記キーパッドのそれぞれのキーと一緒に配置される光源と、
少なくとも１つの電子プロセッサとを有し、前記電子プロセッサが、
ユーザ入力が前記キーパッドを介して受信されるユーザインターフェース処理を実行し、
前記ユーザインターフェース処理中に、前記ユーザインターフェース処理で使用可能なキーを選択的に点灯するよう前記光源を制御し、及び
前記ユーザインターフェース処理中に受信されたユーザ入力に基づき、前記医療デバイスを制御又は構成するようプログラムされる、医療デバイス。
【請求項２】
キーの点灯された組み合わせに対応する前記医療デバイスの薬物供給処理の詳細を表示するディスプレイを更に有する、請求項１に記載の医療デバイス。
【請求項３】
前記光源が、ＬＥＤを含み、個々のＬＥＤは、対応する個々のキーの後ろに配置される、請求項１又は２に記載の医療デバイス。
【請求項４】
前記ユーザインターフェース処理で使用可能なキーを選択的に点灯するように前記ＬＥＤを作動させるため、前記ＬＥＤにアナログＤＣ電流を供給し、前記電子プロセッサにより動作可能な電源を更に有する、請求項３に記載の医療デバイス。
【請求項５】
前記電源が、ＤＣ電流ランプを使用して前記ＬＥＤをオン又はオフにする、請求項４に記載の医療デバイス。
【請求項６】
前記ＬＥＤに供給されるアナログＤＣ電流をフィルタリングするために接続されるローパスフィルタを更に有する、請求項３乃至５のいずれか一項に記載の医療デバイス。
【請求項７】
各ユーザインターフェース処理に関して、前記ユーザインターフェース処理で使用可能なキーのセットの識別を記憶する非一時的ストレージを更に有し、
実行される各ユーザインターフェース処理に関して、前記少なくとも１つの電子プロセッサが、前記非一時的ストレージを読み出すことにより実行されるべき前記ユーザインターフェース処理で使用可能なキーのセットを識別するようプログラムされ、前記識別されたキーを選択的に点灯するよう前記光源を制御する、請求項２乃至６の任意の一項に記載の医療デバイス。
【請求項８】
前記キーパッド及び前記光源の少なくとも一部を囲む無線周波数干渉シールドを更に有する、請求項３乃至７の任意の一項に記載の医療デバイス。
【請求項９】
医療用ポンプであって、
非磁性の電動流体ポンプと、
請求項１に記載の医療デバイスとを有する、医療用ポンプ。
【請求項１０】
磁気共鳴環境で使用する医療デバイスを点灯する方法において、
少なくとも１つのプロセッサを用いて、ユーザインターフェース処理を実行するステップと、
前記少なくとも１つのプロセッサを用いて、データストレージから、前記医療デバイスのキーパッド上の使用可能なキーを選択的に点灯するよう光源を制御するため、前記ユーザインターフェース処理に関する前記使用可能なキーのインデックス化に関連するデータを取得するステップと、
前記少なくとも１つのプロセッサを用いて、インデックス化されたキーを選択的に点灯するステップと、
前記医療デバイスのキーパッドの少なくとも１つのキーを用いて、前記ユーザが少なくとも１つの点灯されたキーを押すことによる、少なくとも１つのユーザ入力を受信するステップと、
前記少なくとも１つのプロセッサを用いて、前記点灯されたキーの少なくとも１つにより受信された前記ユーザ入力に基づき、前記医療デバイスを制御又は構成するステップとを有する、方法。
【請求項１１】
前記光源が、ＬＥＤを含み、個々のＬＥＤは、対応する個々のキーの後ろに配置される、請求項１０に記載の方法。
【請求項１２】
前記ユーザインターフェース処理で使用可能なキーを選択的に点灯するようＬＥＤを作動させるため、前記電子プロセッサにより動作可能な電源を用いて、前記ＬＥＤにアナログＤＣ電流を供給するステップを更に有する、請求項１１に記載の方法。
【請求項１３】
前記電源が、ＤＣ電流ランプを使用して前記ＬＥＤをオン又はオフにする、請求項１２に記載の方法。
【請求項１４】
ローパスフィルタを用いて、前記ＬＥＤに供給される前記アナログＤＣ電流をフィルタリングするステップを更に有する、請求項１１乃至１３のいずれか一項に記載の方法。
【請求項１５】
非一時的ストレージを用いて、ユーザインターフェース処理ごとに、前記ユーザインターフェース処理において使用可能なキーのセットの識別を格納するステップと、
前記少なくとも１つの電子プロセッサを用いて、実行される各ユーザインターフェース処理に関して、前記非一時的ストレージを読み出すことにより実行されるべき前記ユーザインターフェース処理において使用可能なキーのセットを識別し、前記識別されたキーを選択的に点灯するように前記光源を制御するステップとを更に有する、請求項１１乃至１４のいずれか一項に記載の方法。
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
ガイド付きの洗浄セッションに対するユーザの追従を決定するよう構成された口腔洗浄装置であって、
ガイド付きの洗浄セッションの間に第１の位置においてセンサデータを生成するよう構成されたセンサであって、前記センサデータは前記口腔洗浄装置の位置又は動きを示す、センサと、
複数の命令を有するガイド付きの洗浄セッションをユーザに提供するよう構成された、ガイド生成器と、
前記生成されたセンサデータを前記第１の位置について予測されるセンサデータと比較し、前記比較に基づいて、前記ガイド付きの洗浄セッションに対するユーザの追従の推定を生成し、前記ガイド付きの洗浄セッションに対するユーザの追従の前記推定に基づいて前記生成されたセンサデータの信頼性を評価するよう構成された、コントローラと、
を有する、口腔洗浄装置。
【請求項２】
ユーザインタフェースを更に有し、前記コントローラは、前記ガイド付きの洗浄セッションに対する前記推定された追従に関するフィードバックを、前記ユーザインタフェースを介してユーザに提供するよう構成された、請求項１に記載の口腔洗浄装置。
【請求項３】
前記フィードバックは、リアルタイムに提供される、請求項２に記載の口腔洗浄装置。
【請求項４】
前記フィードバックは、ユーザが前記ガイド付きの洗浄セッションに追従していないことの示唆を有する、請求項２に記載の口腔洗浄装置。
【請求項５】
前記ガイド生成器は、前記ユーザの追従の推定に基づいて、前記ガイド付きの洗浄セッションを適合させるよう構成された、請求項１に記載の口腔洗浄装置。
【請求項６】
前記コントローラは、前記ユーザの追従の推定に基づいて、前記ガイド付きの洗浄セッションについて取得されたセンサデータを破棄するか否かを決定するよう構成された、請求項１に記載の口腔洗浄装置。
【請求項７】
ガイド付きの洗浄セッションに対するユーザの追従を決定するよう構成された口腔洗浄装置であって、
ガイド付きの洗浄セッションの間に第１の位置においてセンサからセンサデータを受信するよう構成されたセンサモジュールであって、前記センサデータは前記口腔洗浄装置の位置又は動きを示す、センサモジュールと、
複数の命令を有するガイド付きの洗浄セッションを生成するよう構成された、ガイド生成モジュールと、
前記ガイド付きの洗浄セッション及び前記センサデータから１つ以上の特徴を抽出するよう構成された、特徴抽出モジュールと、
抽出された１つ以上の特徴に基づいて、前記ガイド付きの洗浄セッションに対するユーザの追従の推定を生成し、前記ガイド付きの洗浄セッションに対するユーザの追従の前記推定に基づいて前記センサデータの信頼性を評価するよう構成された、分類モデルモジュールと、
を有する、口腔洗浄装置。
【請求項８】
１つ以上の保存されたガイド付きの洗浄セッションを有するガイドデータベースを更に含む、請求項７に記載の口腔洗浄装置。
【請求項９】
前記ガイド生成モジュールは、前記ユーザの追従の推定に基づいて、前記ガイド付きの洗浄セッションを適合させるよう構成された、請求項７に記載の口腔洗浄装置。
【請求項１０】
口腔洗浄装置の使用の間の、ガイド付きの洗浄セッションに対するユーザの追従を決定するための方法であって、
センサ、ガイド生成器及びコントローラを有する口腔洗浄装置を備えるステップと、
前記ガイド生成器により、ガイド付きの洗浄セッションをユーザに提供するステップと、
前記ガイド付きの洗浄セッションの間の第１の位置において、前記口腔洗浄装置の位置又は動きを示すセンサデータを、前記センサから生成するステップと、
前記生成されたセンサデータを、前記第１の位置について予測されるセンサデータと比較するステップと、
前記比較に基づいて、前記ガイド付きの洗浄セッションに対するユーザの追従の推定を生成するステップと、
前記ガイド付きの洗浄セッションに対するユーザの追従の前記推定に基づいて前記センサデータの信頼性を評価するステップと、
を有する方法。
【請求項１１】
前記ガイド付きの洗浄セッションに対する前記推定された追従に関するフィードバックをユーザに提供するステップを更に有する、請求項１０に記載の方法。
【請求項１２】
前記フィードバックは、リアルタイムに提供される、請求項１１に記載の方法。
【請求項１３】
前記フィードバックは、ユーザが前記ガイド付きの洗浄セッションに追従していないことの示唆を有する、請求項１１に記載の方法。
【請求項１４】
前記ユーザの追従の推定に基づいて、前記ガイド付きの洗浄セッションを適合させるステップを更に含む、請求項１０に記載の方法。
【請求項１５】
前記ユーザの追従の推定に基づいて、前記ガイド付きの洗浄セッションについて取得されたセンサデータを破棄するか否かを決定するステップを更に含む、請求項１０に記載の方法。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
近位部分及び遠位部分を含む可撓性細長部材と、
前記可撓性細長部材の前記遠位部分に結合されたセンサアセンブリと、
前記センサアセンブリに結合され、前記可撓性細長部材に沿って延在するケーブルと、
前記可撓性細長部材の中に配置され、前記ケーブルを介して前記センサアセンブリと通信する無線送受信器と、
前記無線送受信器に通信可能に結合され、前記可撓性細長部材の前記近位部分の外面に沿って延在するアンテナと、
を有する無線腔内装置。
【請求項２】
前記無線送受信器が、前記可撓性細長部材の前記近位部分の中に配置され、前記アンテナが、前記無線送受信器から延在する、請求項１に記載の無線腔内装置。
【請求項３】
前記無線送受信器が、前記近位部分と前記遠位部分との間で前記可撓性細長部材の中央部分の中に配置される、請求項１に記載の無線腔内装置。
【請求項４】
前記無線送受信器が、前記可撓性細長部材の前記遠位部分の中に配置される、請求項１に記載の無線腔内装置。
【請求項５】
前記可撓性細長部材の前記近位部分に結合された電気インタフェースと、
前記可撓性細長部材の前記近位部分に結合され、前記電気インタフェースに結合された電源を含むコネクタであって、前記電源が、前記センサアセンブリ及び前記無線送受信器に電力供給する、当該コネクタと、
を有する、請求項１に記載の無線腔内装置。
【請求項６】
前記コネクタが、前記可撓性細長部材から取り外し可能である、請求項５に記載の無線腔内装置。
【請求項７】
前記電気インタフェースが、
前記電源の正端子に結合された第１の電気接点と、
前記電源の負端子に結合された第２の電気接点と、
を含む、請求項５に記載の無線腔内装置。
【請求項８】
前記電気インタフェースが、前記アンテナに結合された第３の電気接点を含む、請求項７に記載の無線腔内装置。
【請求項９】
前記可撓性細長部材の前記近位部分に結合されたコネクタと、
前記コネクタに機械的に結合されたアンテナと、
を有する、請求項１に記載の無線腔内装置。
【請求項１０】
前記センサアセンブリが、圧力センサ又は流れセンサの少なくとも１つを含む、請求項１に記載の無線腔内装置。
【請求項１１】
近位部分及び遠位部分を含む可撓性細長部材、
前記可撓性細長部材の前記遠位部分に結合されたセンサアセンブリ、
前記センサアセンブリに結合され、前記可撓性細長部材に沿って延在するケーブル、及び
前記可撓性細長部材の中に配置され、前記ケーブルを介して前記センサアセンブリと通信する第１の無線通信コンポーネント、
を有する腔内装置と、
無線リンクを介して前記腔内装置の前記第１の無線通信コンポーネントと通信する第２の無線通信コンポーネントと、
前記第２の無線通信コンポーネントと通信するセンサ測定処理コンポーネントと、
を有する、患者を治療する無線腔内システムにおいて、
前記第１の無線通信コンポーネントが、前記無線リンクを介して前記第２の無線通信コンポーネントに対して、前記センサ測定処理コンポーネントにおける生理学的データ生成に対して前記センサアセンブリにより収集されたセンサ測定を無線で送信する、
無線腔内システム。
【請求項１２】
前記無線腔内システムが、前記センサ測定処理コンポーネントと通信する表示コンポーネントを有し、前記センサ測定処理コンポーネントが、前記センサ測定に基づいて生理学的データを生成し、前記表示コンポーネントが、前記生理学的データを表示する、請求項１１に記載の無線腔内システム。
【請求項１３】
前記第２の無線通信コンポーネントが、前記無線リンクを介して前記第１の無線通信コンポーネントに対して、前記生理学的データ生成に対して前記センサアセンブリを制御する命令を無線で送信する、請求項１２に記載の無線腔内システム。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
医療機器のシャフトに取り付けられるトランスデューサ積層体であって、前記トランスデューサ積層体は、
第１の細長いフォイルと、
第２の細長いフォイルと、
第１の導電体と、
第２の導電体と、
超音波信号を検出するための第１の分極トランスデューサと、
超音波信号を検出するための第２の分極トランスデューサとを備え、
前記第１の細長いフォイル、前記第２の細長いフォイル、前記第１の導電体、及び前記第２の導電体はそれぞれ長軸に沿って延び、
前記長軸沿いの第１の位置において、前記第１の導電体、前記第２の導電体、前記第１の分極トランスデューサ、及び前記第２の分極トランスデューサは、前記第１の細長いフォイルと前記第２の細長いフォイルとの間に挟まれており、前記第１の分極トランスデューサ及び前記第２の分極トランスデューサは、互いに隣接するように、かつ、前記第１の細長いフォイルに面する各々の外面が反対の極性を有するように配置され、前記第１の分極トランスデューサ及び前記第２の分極トランスデューサは、前記第１の導電体と前記第２の導電体との間に、ｉ）直列にかつ同じ極性で電気接続されるか、又はｉｉ）並列にかつ同じ極性で電気接続され、
前記長軸沿いの第２の位置において、前記第１の導電体及び前記第２の導電体は、前記第１の細長いフォイルと前記第２の細長いフォイルとの間に挟まれており、前記第１の分極トランスデューサ及び前記第２の分極トランスデューサはいずれも、前記第１の細長いフォイルと前記第２の細長いフォイルとの間に挟まれていない、
トランスデューサ積層体。
【請求項２】
前記トランスデューサ積層体はさらに差動増幅回路を備え、前記差動増幅回路は、前記第１の導電体及び前記第２の導電体と電気接続されており、また、前記第１の導電体によって運ばれる電気信号と前記第２の導電体によって運ばれる電気信号との間の増幅された差分に対応する増幅された差分電気信号を生成する、請求項１に記載のトランスデューサ積層体。
【請求項３】
請求項１又は２に記載のトランスデューサ積層体を備える、医療機器。
【請求項４】
前記医療機器はシャフトを含み、前記トランスデューサ積層体は前記シャフトの周りに巻き付けられる、請求項３に記載の医療機器。
【請求項５】
超音波イメージングプローブと、
画像再構成ユニットと、
位置決定ユニットと、
医療機器であって、
ボディと、
第１の導電体と、
第２の導電体と、
超音波信号を検出するための第１の分極トランスデューサと、
超音波信号を検出するための第２の分極トランスデューサとを備え、
前記第１の導電体及び前記第２の導電体はそれぞれ前記ボディに沿って延び、
前記第１の分極トランスデューサ及び前記第２の分極トランスデューサは、それらの外面が反対の極性を有するように前記ボディに取り付けられており、
前記第１の分極トランスデューサ及び前記第２の分極トランスデューサは、前記第１の導電体と前記第２の導電体との間に、ｉ）直列にかつ同じ極性で電気接続されるか、又はｉｉ）並列にかつ同じ極性で電気接続される、医療機器と、
差動増幅回路と、
アイコン提供ユニットとを備える位置追跡システムであって、
前記超音波イメージングプローブは、超音波場内の超音波信号を生成及び検出し、
前記画像再構成ユニットは、前記超音波イメージングプローブによって生成及び検出された前記超音波信号に基づいて、前記超音波場に対応する再構成された超音波画像を提供し、
前記差動増幅回路は、前記医療機器の前記第１の導電体及び前記第２の導電体に電気接続されており、また、前記超音波イメージングプローブと前記医療機器との間で送られた超音波信号の検出に応答して、前記第１の導電体によって運ばれる電気信号と前記第２の導電体によって運ばれる電気信号との間の増幅された差分に対応する増幅された差分電気信号を供給し、
前記位置決定ユニットは、前記増幅された差分電気信号を受信し、前記増幅された差分電気信号、及び前記超音波イメージングプローブと前記医療機器との間で送られた前記超音波信号に基づいて、前記超音波場に対する前記医療機器の位置を計算し、
前記アイコン提供ユニットは、前記再構成された画像において、前記超音波場に対する前記医療機器の位置を示すアイコンを提供する、位置追跡システム。
【請求項６】
前記医療機器はさらに、ｉ）電気シールド及び／又はｉｉ）絶縁体層を含み、前記電気シールドは、少なくとも前記第１の導電体及び前記第２の導電体を前記電気シールドと前記ボディとの間に挟み、前記絶縁体層は、前記ボディと前記第１の分極トランスデューサ及び前記第２の分極トランスデューサの両方との間に配置される、請求項５に記載の位置追跡システム。
【請求項７】
前記医療機器の前記ボディは細長い形状を有する、請求項５に記載の位置追跡システム。
【請求項８】
前記第１の導電体及び前記第２の導電体はそれぞれ、前記細長いボディの周りにらせん状に巻かれる、請求項７に記載の位置追跡システム。
【請求項９】
前記第１の分極トランスデューサ及び前記第２の分極トランスデューサは、前記細長いボディの周りにリング状に巻かれる、請求項８に記載の位置追跡システム。
【請求項１０】
前記細長いボディは軸を有し、前記第１の分極トランスデューサ及び前記第２の分極トランスデューサは前記軸沿いに分離される、請求項９に記載の位置追跡システム。
【請求項１１】
前記ボディは針を含む、請求項５から１０のいずれか一項に記載の位置追跡システム。
【請求項１２】
前記第１の分極トランスデューサ及び前記第２の分極トランスデューサはそれぞれ圧電材料から形成される、請求項５から１１のいずれか一項に記載の位置追跡システム。
【請求項１３】
前記第１の導電体及び前記第２の導電体はそれぞれワイヤーから形成される、請求項５から１２のいずれか一項に記載の位置追跡システム。
【請求項１４】
前記超音波イメージングプローブと前記医療機器との間で送られる前記超音波信号は、ｉ）前記超音波イメージングプローブによって生成されるか、又はｉｉ）前記超音波イメージングプローブに取り付けられた少なくとも３つの超音波エミッタによって生成される、請求項５に記載の位置追跡システム。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
清掃ロボットに取り付け可能な清掃ローラであって、
第一端部から第二端部まで回転軸に沿って伸びる細長いシャフトであって、該第一端部及び該第二端部は該回転軸周りに回転するために前記清掃ロボットに取り付け可能である、シャフトと、
前記シャフトの周りに固定され、該シャフトに沿って該シャフトの前記第一端部及び前記第二端部に近接して配置された外端部を有するコアであって、該シャフトの該第一端部に近接する部分から前記回転軸に沿って位置する該シャフトの中心に向かってテーパがつけられているコアと、
前記コアに固定され、該コアの前記外端部を越えて延びるシースであって、それぞれに前記シャフトの中心に向かってテーパがつけられている第一半片及び第二半片を有するシースと、
を備え、
前記シースは、
前記コアを囲い前記コアに固定されたシェルと、
前記シェルから放射状に外側に延びる羽根であって、前記シャフトの第一端部に近接する羽根の高さは、前記シャフトの中心に近接する羽根の高さよりも低く、前記高さは前記シェルへの羽根の取付点から前記羽根の自由端までの距離で規定される、羽根と、
前記コアの前記外端部と前記シースとによって規定される収集穴と、
を備える清掃ローラ。
【請求項２】
前記清掃ローラの長さは２０ｃｍから３０ｃｍであり、前記シースは該シースの長さの７５％から９０％に亘って前記シャフトに固定されている、請求項１に記載の清掃ローラ。
【請求項３】
前記コアは、前記シャフトの周囲かつ前記シース内に位置する複数の不連続のセクションを有する、請求項１に記載の清掃ローラ。
【請求項４】
前記シースは、前記コアの前記不連続のセクション間の位置において前記シャフトまで延びる、請求項３に記載の清掃ローラ。
【請求項５】
前記コアは、前記シースに向かって前記回転軸から離れる方向に伸びる複数の柱であって、該シースと係合して該シースを該コアと連結する複数の柱を有する、請求項１に記載の清掃ローラ。
【請求項６】
前記第一半片及び前記第二半片は、それぞれ、前記回転軸と５度から２０度の角度を成す外面を有する、請求項１に記載の清掃ローラ。
【請求項７】
前記シースの前記第一半片には前記第一端部に近接する部分から前記シャフトの中心に向かってテーパがつけられており、該シースの前記第二半片には該シャフトの前記第二端部に近接する部分から該シャフトの中心に向かってテーパがつけられている、請求項１に記載の清掃ローラ。
【請求項８】
前記シースは前記コアを囲い該コアに固定されたシェルを有し、該シェルは円錐台形の半片を有する、請求項１に記載の清掃ローラ。
【請求項９】
前記羽根は前記シースの外面に沿ったＶ字型の経路に沿う、請求項１に記載の清掃ローラ。
【請求項１０】
前記羽根の、前記第一端部に近接する部分の高さは１ミリメートルから５ミリメートルであり、該羽根の、前記シャフトの前記中心に近接する部分の高さは１０ミリメートルから３０ミリメートルである、請求項１に記載の清掃ローラ。
【請求項１１】
前記収集穴のうちの一つの長さは前記清掃ローラの長さの５％から１５％である、請求項１に記載の清掃ローラ。
【請求項１２】
前記シースのチューブ状部が前記収集穴を規定する、請求項１に記載の清掃ローラ。
【請求項１３】
前記シースは前記コアを囲い該コアに固定されたシェルを更に備え、該シェルの最大幅は該シースの全直径の８０％から９５％である、請求項１に記載の清掃ローラ。
【請求項１４】
自律型清掃ロボットを床面上で動かすよう動作可能な駆動部と、
清掃ローラと、
を備える自律型清掃ロボットであって、
前記清掃ローラは、
第一端部から第二端部まで回転軸に沿って延びる細長いシャフトであって、前記第一端部および前記第二端部は前記回転軸周りに回転するために前記自律型清掃ロボットに取り付け可能である、細長いシャフトと、
前記シャフトの周りに固定され、前記シャフトに沿って配置され、前記シャフトの第一端部および第二端部に近接して配置された外端部を有するコアであって、前記シャフトの第一端部に近接する部分から前記回転軸に沿って位置する前記シャフトの中心に向かってテーパがつけられている、コアと、
前記コアに固定され、前記コアの外端部を越えて延びるシースであって、それぞれに前記シャフトの中心に向かってテーパがつけられている第一半片及び第二半片を有するシースと、
を含み、
前記シースは、
前記コアを囲い前記コアに固定されたシェルと、
前記シェルから放射状に外側に延びる羽根であって、前記シャフトの第一端部に近接する羽根の高さは、前記シャフトの中心に近接する羽根の高さよりも低く、前記高さは前記シェルへの羽根の取付点から前記羽根の自由端までの距離で規定される、羽根と、
前記コアの前記外端部と前記シースとによって規定される収集穴と、
を含む、自律型清掃ロボット。
【請求項１５】
前記清掃ローラの長さは２０ｃｍから３０ｃｍであり、前記シースは前記シースの長さの７５％から９０％に亘って前記シャフトに固定されている、請求項１４に記載の自律型清掃ロボット。
【請求項１６】
前記コアは、前記シャフトの周囲かつ前記シース内に位置する複数の不連続のセクションを有する、請求項１４に記載の自律型清掃ロボット。
【請求項１７】
前記コアは、前記シースに向かって前記回転軸から離れる方向に伸びる複数の柱であって、前記シースと係合して前記シースを前記コアと連結する複数の柱を有する、請求項１４に記載の自律型清掃ロボット。
【請求項１８】
前記第一半片及び前記第二半片は、それぞれ、前記回転軸と５度から２０度の角度を成す外面を有する、請求項１４に記載の自律型清掃ロボット。
【請求項１９】
前記シースの前記第一半片には前記第一端部に近接する部分から前記シャフトの中心に向かってテーパがつけられており、前記シースの前記第二半片には前記シャフトの前記第二端部に近接する部分から前記シャフトの中心に向かってテーパがつけられている、請求項１４に記載の自律型清掃ロボット。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
大豆イソフラボンおよび酵母ベータ−グルカン（β−グルカン）を含む血糖管理成分を含むペットフード組成物。
【請求項２】
前記血糖管理成分が、哺乳動物によって摂取された約６時間後に、及び／又は約２４時間後に、生成された総短鎖脂肪酸（ＳＣＦＡ）の約２０％を超えるプロピオン酸含有量を有する、ＳＣＦＡ複合体を生成するのに有効な量で存在する、請求項１に記載のペットフード組成物。
【請求項３】
前記血糖管理成分が、哺乳動物によって摂取された約６時間後に、及び／又は約２４時間後に、生成された総短鎖脂肪酸（ＳＣＦＡ）の約２５％を超えるプロピオン酸含有量を有する、ＳＣＦＡ複合体を生成するのに有効な量で存在する、請求項１または２に記載のペットフード組成物。
【請求項４】
前記血糖管理成分が、哺乳動物によって摂取された約６時間後に、及び／又は約２４時間後に、生成された総短鎖脂肪酸（ＳＣＦＡ）の約３０％のプロピオン酸含有量を有する、ＳＣＦＡ複合体を生成するのに有効な量で存在する、請求項１〜３のいずれかに記載のペットフード組成物。
【請求項５】
酵母β−グルカン対大豆イソフラボンの比率（酵母β−グルカン：大豆イソフラボン）が、約２３：１〜約７：１である、請求項１〜４のいずれかに記載のペットフード組成物。
【請求項６】
前記プロピオン酸含有量が、摂取後約６時間の前記プロピオン酸含有量よりも摂取後約２４時間の方が大きい、請求項２〜４のいずれかに記載のペットフード組成物。
【請求項７】
プレバイオティック繊維成分をさらに含む、請求項１〜６のいずれかに記載のペットフード組成物。
【請求項８】
前記プレバイオティック繊維成分が、ビートパルプ、柑橘類パルプ、セルロース系材料、またはそれらの混合物を含む、請求項７に記載のペットフード組成物。
【請求項９】
前記プレバイオティック繊維成分が、ビートパルプと柑橘類パルプとの混合物を含む、請求項７または８に記載のペットフード組成物。
【請求項１０】
総繊維濃度が約０．０１％ｗ／ｖである、請求項１〜９のいずれかに記載のペットフード組成物。
【請求項１１】
前記大豆イソフラボンが約０．０３％ｗ／ｖで存在する、請求項１〜１０のいずれかに記載のペットフード組成物。
【請求項１２】
前記β−グルカンが約０．４０％ｗ／ｖで存在する、請求項１〜１１のいずれかに記載のペットフード組成物。
【請求項１３】
約１７％〜約５０％ｗ／ｖのタンパク質をさらに含む、請求項１〜１２のいずれかに記載のペットフード組成物。
【請求項１４】
前記タンパク質は、加水分解された動物性または植物性タンパク質の供給源を含む、請求項１３に記載のペットフード組成物。
【請求項１５】
前記加水分解された動物性または植物性タンパク質の供給源は、鶏の肝臓を含む、請求項１４に記載のペットフード組成物。
【請求項１６】
加水分解された動物性または植物性タンパク質の供給源は、約２５〜約４５ｗ／ｖ％の活性含有量で存在する、請求項１４または１５に記載のペットフード組成物。
【請求項１７】
約８％〜約４０％ｗ／ｖの脂肪をさらに含む、請求項１〜１６のいずれかに記載のペットフード組成物。
【請求項１８】
約５％〜約１０％ｗ／ｖの灰含有量を有する、請求項１〜１７のいずれかに記載のペットフード組成物。
【請求項１９】
約５％〜約２０％ｗ／ｖの含水量を有する、請求項１〜１８のいずれかに記載のペットフード組成物。
【請求項２０】
高ドコサヘキサエン酸魚油をさらに含む、請求項１〜１９のいずれかに記載のペットフード組成物。
【請求項２１】
コンパニオン動物における食後のグルコースレベルを制御するための、請求項１〜２０のいずれかに記載のペットフード組成物。
【請求項２２】
有効量の前記血糖管理成分を主成分とする、コンパニオン動物における食後のグルコースレベルを制御するための、請求項１に記載のペットフード組成物。
【請求項２３】
コンパニオン動物における満腹を誘導するための、請求項１〜１３のいずれかに記載のペットフード組成物。
【請求項２４】
有効量の前記血糖管理成分を主成分とする、コンパニオン動物における満腹を誘導するための、請求項１に記載のペットフード組成物。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
ペットフード組成物であって、
約４０％超が酸化された茶の組織から得られたカメリア抽出物と、
繊維構成成分と、を含み、
前記カメリア抽出物および前記繊維構成成分が、摂取後約２４時間後に、４５０ｍｇ／Ｌ未満の糞便硫化水素濃度、および５．０未満の結腸管腔ｐＨを提供するために有効な量で存在する、ペットフード組成物。
【請求項２】
前記繊維構成成分が、ヘミセルロース；セルロース；ペクチン；キシロース、ガラクトース、またはフルクトースのオリゴ糖；難消化性デンプン；およびこれらの二つ以上の組み合わせから選択される繊維タイプを含む、請求項１に記載のペットフード組成物。
【請求項３】
前記繊維構成成分が可溶性繊維供給源を含む、請求項１または２に記載のペットフード組成物。
【請求項４】
前記可溶性繊維供給源が、オート麦、リンゴ、サトウキビ、柑橘類パルプ、ビートパルプ、穀類、またはこれらの二つ以上の組み合わせから選択される、請求項３に記載のペットフード組成物。
【請求項５】
前記繊維構成成分がビートパルプを含む、請求項１〜４のいずれか一項に記載のペットフード組成物。
【請求項６】
前記ビートパルプが約０．５ｗ／ｖ％〜約１．５ｗ／ｖ％の量で存在する、請求項５に記載のペットフード組成物。
【請求項７】
前記繊維構成成分が柑橘類パルプを含む、請求項１〜６のいずれか一項に記載のペットフード組成物。
【請求項８】
前記繊維構成成分における柑橘類パルプとビートパルプの比（柑橘類パルプ：ビートパルプ）が約１．５：１〜約２：１である、請求項１〜７のいずれか一項に記載のペットフード組成物。
【請求項９】
前記繊維構成成分における柑橘類パルプとビートパルプの比が約１．７５：１である、請求項１〜８のいずれか一項に記載のペットフード組成物。
【請求項１０】
前記繊維構成成分が０．８７５ｗ／ｖ％〜２．６２５ｗ／ｖ％の量で柑橘類パルプを含む、請求項７〜９のいずれか一項に記載のペットフード組成物。
【請求項１１】
前記カメリア抽出物が０．０４３ｗ／ｖ％〜０．１５ｗ／ｖ％の量で存在する、請求項１〜１０のいずれか一項に記載のペットフード組成物。
【請求項１２】
前記カメリア抽出物および前記繊維構成成分が、摂取後約２４時間後、約１６５０ｍｇ／Ｌ超の糞便乳酸濃度、及び／又は約３０ｍｇ／Ｌ未満の糞便イソ吉草酸濃度、の生成のために有効な量で存在する、請求項１〜１１のいずれか一項に記載のペットフード組成物。
【請求項１３】
前記カメリア抽出物が紅茶を含む、請求項１〜１２のいずれか一項に記載のペットフード組成物。
【請求項１４】
前記ペットフード組成物中の総繊維濃度が約５ｗ／ｖ％である、請求項１〜１３のいずれか一項に記載のペットフード組成物。
【請求項１５】
約１７％〜約５０％のタンパク質をさらに含む、請求項１〜１４のいずれか一項に記載のペットフード組成物。
【請求項１６】
前記タンパク質が、加水分解された動物性または植物性タンパク質の供給源を含む、請求項１５に記載のペットフード組成物。
【請求項１７】
前記加水分解された動物性または植物性タンパク質の供給源が、鶏の肝臓を含む、請求項１６に記載のペットフード組成物。
【請求項１８】
前記加水分解された動物性または植物性タンパク質の供給源が、約２５〜約４５重量％の活性含有量で存在する、請求項１６または１７に記載のペットフード組成物。
【請求項１９】
約８％〜約４０％の脂肪をさらに含む、請求項１〜１８のいずれか一項に記載のペットフード組成物。
【請求項２０】
約５％〜約２０％の含水量を有する、請求項１〜１９のいずれか一項に記載のペットフード組成物。
【請求項２１】
コンパニオンアニマルにおける胃腸の疾患、状態または障害の症状を治療、予防または軽快するための請求項１〜２０のいずれか一項に記載のペットフード組成物。
【請求項２２】
前記胃腸の疾患、状態または障害が、下痢、過敏性腸症候群、潰瘍性大腸炎および腸管拡張から選択される、請求項２１に記載のペットフード組成物。
【請求項２３】
コンパニオンアニマルの腸のエコシステムのホメオスタティックバランスを維持するための請求項１〜２０のいずれか一項に記載のペットフード組成物。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
ＳＥＱ  ＩＤ  ＮＯ：２０を含む前立腺特異的膜抗原（ＰＳＭＡ）ポリペプチドに特異的に結合することができる単離された単一ドメイン抗体であって、
ここで、前記単一ドメイン抗体は、以下の相補性決定領域（ＣＤＲ）：
（ｉ）ＳＥＱ  ＩＤ  ＮＯ：５の配列を含むＣＤＲ１、
（ｉｉ）ＳＥＱ  ＩＤ  ＮＯ：１７の配列を含むＣＤＲ２、および
（ｉｉｉ）ＳＥＱ  ＩＤ  ＮＯ：１５の配列を含むＣＤＲ３
を含む、
単離された単一ドメイン抗体。
【請求項２】
前記単一ドメイン抗体はＳＥＱ  ＩＤ  ＮＯ：３２のアミノ酸配列を有する、請求項１に記載の単離された単一ドメイン抗体。
【請求項３】
前記単一ドメイン抗体は三重特異性タンパク質の一部である、請求項２に記載の単離された単一ドメイン抗体。
【請求項４】
前記三重特異性タンパク質はＳＥＱ  ＩＤ  ＮＯ：１５３のアミノ酸配列を有する、請求項３に記載の単離された単一ドメイン抗体。
【請求項５】
請求項１に記載の前記単一ドメイン抗体をコードする単離されたポリヌクレオチド。
【請求項６】
請求項５に記載の前記ポリヌクレオチドを含む単離されたベクター。
【請求項７】
請求項６に記載の前記ベクターで形質転換された、単離された宿主細胞。
【請求項８】
（ｉ）請求項１に記載の前記単一ドメイン抗体および（ｉｉ）薬学的に許容可能な担体を含む医薬組成物。